(57)【要約】  ノーマルストリーム及びターボストリームを含むデュアル伝送ストリームを受信し処理するデジタル放送受信システム及びその信号処理方法を提供する。  ターボストリームを含む伝送ストリームの受信性能を改善させることができるデジタル放送受信システムが開示される。本システムは、ターボストリーム及びノーマルストリームを含むデュアル伝送ストリームを受信し復調する復調部と、復調されたデュアル伝送ストリームを等化する等化部と、等化されたデュアル伝送ストリームからノーマルストリームデータを復元する第１の処理部、及び等化されたデュアル伝送ストリームからターボストリームデータを復元してイレイジャデコードする第２の処理部とを含む。
2009524946.tif 000002
【特許請求の範囲】
【請求項１】
ターボストリーム及びノーマルストリームを含むデュアル伝送ストリームを受信し復調する復調部と、
前記復調されたデュアル伝送ストリームを等化する等化部と、
前記等化されたデュアル伝送ストリームからノーマルストリームデータを復元する第１の処理部、及び
前記等化されたデュアル伝送ストリームからターボストリームデータを復元しイレイジャデコードする第２の処理部とを含むことを特徴とするデジタル放送受信システム。
【請求項２】
前記第１の処理部は、
前記等化されたデュアル伝送ストリームのノーマルストリームに対してエラー訂正を行い、該エラー訂正されたノーマルストリームを復号するビタビデコーダーと、
前記ビタビデコーダーから出力されるデュアル伝送ストリームをデインターリーブする第１のデインターリーバと、
前記デインターリーブされたデュアル伝送ストリームをリード・ソロモン・デコードするリード・ソロモン・デコーダー、及び
前記リード・ソロモン・デコードされたデュアル伝送ストリームを逆ランダム化して前記ノーマルストリームデータを復元する第１の逆ランダム化部と、を含むことを特徴とする請求項１に記載のデジタル放送受信システム。
【請求項３】
前記第２の処理部は、
前記等化されたデュアル伝送ストリームのターボストリームに対してターボデコーディングを行うターボデコーダーと、
前記ターボデコードされたターボストリームを含むデュアル伝送ストリームをデインターリーブする第２のデインターリーバと、
前記第２のデインターリーバでデインターリーブされたデュアル伝送ストリームからパリティーを除去するパリティー除去部と、
前記パリティーが除去されたデュアル伝送ストリームを逆ランダム化する第２の逆ランダム化部と、
前記逆ランダム化されたデュアル伝送ストリームを逆多重化して前記ターボストリームデータを復元するターボデマルチプレクサ、及び
前記復元されたターボストリームデータをイレイジャデコードするイレイジャデコーダーと、を含むことを特徴とする請求項１に記載のデジタル放送受信システム。
【請求項４】
前記ターボデコーダーは、
前記等化されたデュアル伝送ストリームのターボストリームに対してトレリスデコードするトレリスデコーダーと、
前記トレリスデコードされたターボストリームをデインターリーブするアウターデインターリーバと、
前記デインターリーブされたターボストリームをデコードするアウターマップデコーダーと、
前記アウターマップデコーダーから軟判定出力値が出力されると、前記アウターマップデコーダーでデコードされたターボストリームをインターリーブして前記トレリスデコーダーに提供するアウターインターリーバ、及び
前記アウターマップデコーダーの硬判定出力値をフレームフォーマットするフレームフォーマッターと、を含むことを特徴とする請求項３に記載のデジタル放送受信システム。
【請求項５】
前記ターボデコーダーは、前記フレームフォーマットされたターボストリームをシンボル単位からバイト単位に変換して前記ターボ挿入部に提供するシンボルデインターリーバをさらに含むことを特徴とする請求項４に記載のデジタル放送受信システム。
【請求項６】
（ａ）ターボストリーム及びノーマルストリームを含むデュアル伝送ストリームを受信し復調する段階と、
（ｂ）前記復調されたデュアル伝送ストリームを等化する段階と、
（ｃ）前記等化されたデュアル伝送ストリームからノーマルストリームデータを復元する段階、及び
（ｄ）前記等化されたデュアル伝送ストリームからターボストリームデータを復元しイレイジャデコードする段階とを含むことを特徴とするデジタル放送受信信号処理方法。
【請求項７】
前記（ｃ）段階は、
前記等化されたデュアル伝送ストリームのノーマルストリームに対してエラー訂正を行い、該エラー訂正されたノーマルストリームを復号するビタビデコーディング段階と、
前記ビタビデコードされたノーマルストリームを含むデュアル伝送ストリームをデインターリーブする段階と、
前記デインターリーブされたデュアル伝送ストリームをリード・ソロモン・デコードする段階、及び
前記リード・ソロモン・デコードされたデュアル伝送ストリームを逆ランダム化して前記ノーマルストリームデータを復元する段階と、を含むことを特徴とする請求項６に記載のデジタル放送受信信号処理方法。
【請求項８】
前記（ｄ）段階は、
前記等化されたデュアル伝送ストリームのターボストリームに対してターボデコーディングを行う段階と、
前記ターボデコードされたターボストリームを含むデュアル伝送ストリームをデインターリーブする段階と、
前記デインターリーブされたデュアル伝送ストリームからパリティーを除去する段階と、
前記パリティーが除去されたデュアル伝送ストリームを逆ランダム化する段階と、
前記逆ランダム化されたデュアル伝送ストリームを逆多重化して前記ターボストリームデータを復元するターボ逆多重化段階、及び
前記復元されたターボストリームデータをイレイジャデコードする段階と、を含むことを特徴とする請求項６に記載のデジタル放送受信信号処理方法。
【請求項９】
前記ターボデコードする段階は、
前記等化されたデュアル伝送ストリームのターボストリームをトレリスデコーダーでトレリスデコードする段階と、
前記トレリスデコードされたターボストリームをデインターリーブする段階と、
前記デインターリーブされたターボストリームをデコードする段階と、
前記デコーディング過程で軟判定出力値が出力されると、前記デコードされたターボストリームをインターリーブして前記トレリスデコーダーに提供する段階、及び
前記デコーディング過程で硬判定出力値が出力されると、該硬判定出力値をフレームフォーマットする段階と、を含むことを特徴とする請求項８に記載のデジタル放送受信信号処理方法。
【請求項１０】
前記ターボデコードする段階は、前記フレームフォーマットされたターボストリームをシンボル単位からバイト単位に変換する段階をさらに含むことを特徴とする請求項９に記載のデジタル放送受信信号処理方法。
【請求項１１】
ターボストリーム及びノーマルストリームを含むデュアル伝送ストリームを受信し復調する復調部と、
前記復調されたデュアル伝送ストリームを等化する等化部、及び
前記ターボストリーム及び前記ノーマルストリームを復元し、デジタル放送受信システムの受信性能を向上するためにノイズを除去した前記復元されたターボストリームをイレイジャデコードする処理部とを含むデジタル放送受信システム。
【請求項１２】
前記処理部は、
前記等化されたデュアル伝送ストリームからノーマルストリームデータを復元する第１の処理部、及び
前記等化されたデュアル伝送ストリームからターボストリームデータを復元しイレイジャデコードする第２の処理部と、を含むことを特徴とする請求項１１に記載のデジタル放送受信システム。
【請求項１３】
前記第１の処理部は、
前記等化されたデュアル伝送ストリームのノーマルストリームに対してエラー訂正を行い、該エラー訂正されたノーマルストリームを復号するビタビデコーダーと、
前記ビタビデコーダーから出力されるデュアル伝送ストリームをデインターリーブする第１のデインターリーバと、
前記デインターリーブされたデュアル伝送ストリームをリード・ソロモン・デコードするリード・ソロモン・デコーダー、及び
前記リード・ソロモン・デコードされたデュアル伝送ストリームを逆ランダム化して前記ノーマルストリームデータを復元する第１の逆ランダム化部と、を含むことを特徴とする請求項１２に記載のデジタル放送受信システム。
【請求項１４】
前記第２の処理部は、
前記等化されたデュアル伝送ストリームのターボストリームに対してターボデコーディングを行うターボデコーダーと、
前記ターボデコードされたターボストリームを含むデュアル伝送ストリームをデインターリーブする第２のデインターリーバと、
前記第２のデインターリーバでデインターリーブされたデュアル伝送ストリームからパリティーを除去するパリティー除去部と、
前記パリティーが除去されたデュアル伝送ストリームを逆ランダム化する第２の逆ランダム化部と、
前記逆ランダム化されたデュアル伝送ストリームを逆多重化して前記ターボストリームデータを復元するターボデマルチプレクサ、及び
前記復元されたターボストリームデータをイレイジャデコードするイレイジャデコーダーと、を含むことを特徴とする請求項１２に記載のデジタル放送受信システム。
【請求項１５】
前記ターボデコーダーは、前記デュアル伝送ストリームのパケット適応フィールドの一部または全部を検出し前記ターボストリームをターボデコードすることを特徴とする請求項１４に記載のデジタル放送受信システム。
【請求項１６】
前記ターボデコーダーが前記ターボストリームを全部ターボデコードすると、前記ターボデコーダーは、前記ターボデコードされたターボストリームを前記デュアル伝送ストリームに再挿入して前記デュアル伝送ストリームを再構成することを特徴とする請求項１５に記載のデジタル放送受信システム。
【請求項１７】
前記パケット適応フィールドは、付加基準信号及びターボストリームデータが書き込まれた前記デュアル伝送ストリームの各パケットに形成された領域に存在することを特徴とする請求項１５に記載のデジタル放送受信システム。
【請求項１８】
前記ターボストリームは、所定の圧縮規格によって圧縮されロバスト処理されたデータストリームであることを特徴とする請求項１１に記載のデジタル放送受信システム。
【請求項１９】
前記ターボストリームデータは、オーディオデータ及びビデオデータの少なくとも一方を含むことを特徴とする請求項１８に記載のデジタル放送受信システム。
【請求項２０】
前記所定の圧縮規格は、ＭＰＥＧ−２規格を含むことを特徴とする請求項１８に記載のデジタル放送受信システム。
【発明の詳細な説明】
【技術分野】
【０００１】
本発明は、デジタル放送用伝送ストリームを受信するシステム及びその方法に係り、より詳しくは、ノーマルストリーム及びターボストリームを含むデュアル伝送ストリームを受信し処理するデジタル放送受信システム及びその信号処理方法に関する。
【背景技術】
【０００２】
米国向けの地上波デジタル放送システムであるＡＴＳＣ  ＶＳＢ方式は、シングルキャリア方式であって、３１２セグメント単位でフィールド同期信号が使われている。これにより、劣悪なチャンネル、特にドップラーフェージングチャンネルにおいて受信性能が良くない。
【０００３】
図１は、一般の米国向けの地上波デジタル放送システムであって、ＡＴＳＣ  ＤＴＶ規格による送受信機を示すブロック図である。図１のデジタル放送送信機は、フィリップ社が提案したＥＶＳＢシステムであって、基準ＡＴＳＣ  ＶＳＢシステムのノーマルデータにロバストデータを追加したデュアルストリームを形成して送信できるように構成した方式である。
【０００４】
図１に示すように、デジタル放送送信機は、デュアルストリームをランダム化させるランダム化部１１と、送信過程でチャンネル特性によって発生するエラーを訂正するために伝送ストリームにパリティーバイトを追加する連結された符号化器（Ｃｏｎｃａｔｅｎａｔｅｄ  ｃｏｄｅｒ）形態であるＲＳエンコーダー１２（Ｒｅｅｄ−Ｓｏｌｏｍｏｎ  ｅｎｃｏｄｅｒ）、ＲＳエンコードされたデータを所定パターンに従ってインターリービングを行うインターリーバ１３、及びインターリーブされたデータに対して２／３の比率でトレリスエンコーティングを行って８レベルシンボルにマッピングするトレリスエンコーダー１４と、を含み、デュアルストリームに対してエラー訂正符号化を行う。
【０００５】
また、デジタル放送送信機は、エラー訂正符号化が行われたデータに対して図２のデータフォーマットのようにフィールド同期信号とセグメン同期信号を挿入する多重化部１５及びセグメント同期信号とフィールド同期信号が挿入されたデータシンボルに所定のＤＣ値を付加してパイロットトーンを挿入しパルス整形することでＶＳＢ変調を行い、ＲＦチャンネル帯域の信号に変換して送信する変調部１６を含む。
【０００６】
したがって、デジタル放送送信機は、ノーマルデータとロバストデータを１つのチャンネルにて送信するデュアルストリーム方式によってノーマルデータとロバストデータが多重化されて（図示せず）ランダム化部１１に入力される。入力されたデータは、ランダム化部１１でデータランダム化され、該ランダム化されたデータはアウターコーダーとしてのＲＳエンコーダー１２で外符号化し、インターリーバ１３で符号化されたデータを分散させる。また、インターリーブされたデータを１２シンボル単位にトレリスエンコーダー１４で内符号化し、該内符号化されたデータに対して８レベルシンボルにマッピングした後、フィールド同期信号とセグメント同期信号を挿入し、その後、パイロットトーンを挿入してＶＳＢ変調をし、ＲＦ信号に変換して送信するようになる。
【０００７】
一方、図１のデジタル放送受信機は、チャンネルを通じて受信されたＲＦ信号をベースバンド信号に変換するチューナー（図示せず）と、変換されたベースバンド信号に対して同期検出及び復調を行う復調部２１と、復調された信号に対してマルチパスによって発生したチャンネル歪曲を補償する等化部２２と、等化された信号に対してエラーを訂正してシンボルデータに復号するビタビデコーダー２３と、デジタル放送送信機のインターリーバ１３で分散されたデータを再整列するデインターリーバ２４と、エラーを訂正するＲＳデコーダー２５と、ＲＳデコーダー２５で訂正されたデータを逆ランダム化してＭＰＥＧ―２伝送ストリームを出力する逆ランダム化部２６と、を含む。
【０００８】
したがって、図１のデジタル放送受信機は、デジタル放送送信機の逆過程においてＲＦ信号を基底帯域に変換し、変換された信号を復調及び等化した後、チャンネルデコーディングを行ってオリジナル信号を復元する。
【０００９】
図２は、米国向けのデジタル放送（８―ＶＳＢ）システムのセグメント同期信号及びフィールド同期信号が挿入されたＶＳＢデータフレームを示す図である。図示したように、１個のフレームは、２個のフィールドから構成され、１個のフィールドは一番目セグメントである１個のフィールド同期信号セグメントと３１２個のデータセグメントから構成される。また、ＶＳＢデータフレームにおいて１個のセグメントは、ＭＰＥＧ―２パケットの１つに対応し、１個のセグメントは４シンボルのセグメント同期信号と８２８個のデータシンボルから構成される。
【００１０】
図２において、同期信号であるセグメント同期信号とフィールド同期信号は、デジタル放送受信機側で同期及び等化のために使われる。すなわち、フィールド同期信号及びセグメント同期信号は、デジタル放送送信機及び受信機の間で既に知られたデータであって、受信機側で等化を行う際の基準信号として使われる。
【００１１】
図１に示す米国向けの地上波デジタル放送システムは、既存のＡＴＳＣ  ＶＳＢシステムのノーマルデータにターボデータを追加してデュアルストリームを形成して送信できるように構成された方式であって、既存のノーマルデータにターボデータを乗せて一緒に送信する。
【００１２】
しかしながら、図１に示す米国向けの地上波デジタル放送システムでは、ターボデータの追加によるデュアルストリーム送信にもかかわらず、既存のノーマルデータストリーム送信によるマルチパスチャンネルでの劣悪な受信性能を改善する効果はほとんどないという問題点がある。また、ターボストリームに対しても、マルチパス環境で受信性能の改善効果が大きくないという問題点があった。
【００１３】
これにより、より確実に処理されたターボストリーム及びノーマルストリームを含むデュアル伝送ストリームを受信し処理するシステム及び方法に対する必要性が台頭された。
【特許文献１】韓国特許公開第２００４−００６３７７９号公報
【特許文献２】韓国特許公開第２００３−００２６２３６号公報
【特許文献３】韓国特許公開第２００５−００７７２５５号公報
【特許文献４】韓国特許公開第２００２−００９４４２６号公報
【特許文献５】韓国特許公開第２００３−０００７８４７号公報
【特許文献６】米国特許公開第２００２０１９４５７０号公報
【発明の開示】
【発明が解決しようとする課題】
【００１４】
本発明は、上述した必要に応じてなされたものであって、その目的は、ノーマルストリーム及びロバスト処理されたターボストリームを含むデュアル伝送ストリームを受信し各ストリームを復元し、該復元されたターボストリームに対してイレイジャデコーディングを行ってノイズを除去することにより、米国向けの地上波ＤＴＶシステムであるＡＴＳＣ  ＶＳＢ方式の受信性能を向上することができるデジタル放送受信システム及びその信号処理方法を提供することである。
【課題を解決するための手段】
【００１５】
上記のような目的を達成するための本発明の一実施の形態によるデジタル放送受信システムは、ターボストリーム及びノーマルストリームを含むデュアル伝送ストリームを受信し復調する復調部と、上記復調されたデュアル伝送ストリームを等化する等化部と、上記等化されたデュアル伝送ストリームからノーマルストリームデータを復元する第１の処理部、及び上記等化されたデュアル伝送ストリームからターボストリームデータを復元しイレイジャデコードする第２の処理部と、を含む。
【００１６】
好ましくは、上記第１の処理部は、上記等化されたデュアル伝送ストリームのノーマルストリームに対してエラー訂正を行い、該エラー訂正されたノーマルストリームを復号するビタビデコーダーと、上記ビタビデコーダーから出力されるデュアル伝送ストリームをデインターリーブする第１のデインターリーバと、上記デインターリーブされたデュアル伝送ストリームをリード・ソロモン・デコードするリード・ソロモン・デコーダー、及び上記リード・ソロモン・デコードされたデュアル伝送ストリームを逆ランダム化して上記ノーマルストリームデータを復元する第１の逆ランダム化部とを含んでよい。
【００１７】
より好ましくは、上記第２の処理部は、上記等化されたデュアル伝送ストリームのターボストリームに対してターボデコーディングを行うターボデコーダーと、上記ターボデコードされたターボストリームを含むデュアル伝送ストリームをデインターリーブする第２のデインターリーバと、上記第２のデインターリーバでデインターリーブされたデュアル伝送ストリームからパリティーを除去するパリティー除去部と、上記パリティーが除去されたデュアル伝送ストリームを逆ランダム化する第２の逆ランダム化部と、上記逆ランダム化されたデュアル伝送ストリームを逆多重化して上記ターボストリームデータを復元するターボデマルチプレクサ、及び上記復元されたターボストリームデータをイレイジャデコードするイレイジャデコーダーと、を含んでよい。
【００１８】
また、上記ターボデコーダーは、上記等化されたデュアル伝送ストリームのターボストリームに対してトレリスデコードするトレリスデコーダーと、上記トレリスデコードされたターボストリームをデインターリーブするアウターデインターリーバと、上記デインターリーブされたターボストリームをデコードするアウターマップデコーダーと、上記アウターマップデコーダーから軟判定出力値が出力されると、上記アウターマップデコーダーでデコードされたターボストリームをインターリーブして上記トレリスデコーダーに提供するアウターインターリーバ、及び上記アウターマップデコーダーの硬判定出力値をフレームフォーマットするフレームフォーマッターと、を含んでよい。
【００１９】
この場合、上記ターボデコーダーは、上記フレームフォーマットされたターボストリームをシンボル単位からバイト単位に変換して上記ターボ挿入部に提供するシンボルデインターリーバをさらに含んでよい。
【００２０】
一方、以上のような目的を達成するための本発明の他の実施の形態によるデジタル放送受信信号処理方法は、（ａ）ターボストリーム及びノーマルストリームを含むデュアル伝送ストリームを受信し復調する段階と、（ｂ）上記復調されたデュアル伝送ストリームを等化する段階と、（ｃ）上記等化されたデュアル伝送ストリームからノーマルストリームデータを復元する段階、及び（ｄ）上記等化されたデュアル伝送ストリームからターボストリームデータを復元しイレイジャデコードする段階と、を含む。
【００２１】
好ましくは、上記（ｃ）段階は、上記等化されたデュアル伝送ストリームのノーマルストリームに対してエラー訂正を行い、該エラー訂正されたノーマルストリームを復号するビタビデコーディング段階と、上記ビタビデコードされたノーマルストリームを含むデュアル伝送ストリームをデインターリーブする段階と、上記デインターリーブされたデュアル伝送ストリームをリード・ソロモン・デコードする段階、及び上記リード・ソロモン・デコードされたデュアル伝送ストリームを逆ランダム化して上記ノーマルストリームデータを復元する段階とを含んでよい。
【００２２】
より好ましくは、上記（ｄ）段階は、上記等化されたデュアル伝送ストリームのターボストリームに対してターボデコーディングを行う段階と、上記ターボデコードされたターボストリームを含むデュアル伝送ストリームをデインターリーブする段階と、上記デインターリーブされたデュアル伝送ストリームからパリティーを除去する段階と、上記パリティーが除去されたデュアル伝送ストリームを逆ランダム化する段階と、上記逆ランダム化されたデュアル伝送ストリームを逆多重化して上記ターボストリームデータを復元するターボ逆多重化段階、及び上記復元されたターボストリームデータをイレイジャデコードする段階とを含んでよい。
【００２３】
また、上記ターボデコードする段階は、上記等化されたデュアル伝送ストリームのターボストリームをトレリスデコーダーでトレリスデコードする段階と、上記トレリスデコードされたターボストリームをデインターリーブする段階と、上記デインターリーブされたターボストリームをデコードする段階と、上記デコーディング過程で軟判定出力値が出力されると、上記デコードされたターボストリームをインターリーブして上記トレリスデコーダーに提供する段階、及び上記デコーディング過程で硬判定出力値が出力されると、上記硬判定出力値をフレームフォーマットする段階とを含んでよい。
【００２４】
この場合、上記ターボデコードする段階は、上記フレームフォーマットされたターボストリームをシンボル単位からバイト単位に変換する段階をさらに含んでよい。
【００２５】
一方、本発明の他の実施の形態によるデジタル放送受信システムは、ターボストリーム及びノーマルストリームを含むデュアル伝送ストリームを受信し復調する復調部と、上記復調されたデュアル伝送ストリームを等化する等化部と、上記ターボストリーム及び上記ノーマルストリームを復元し、デジタル放送受信システムの受信性能を向上するためにノイズを除去した上記復元されたターボストリームをイレイジャデコードする処理部とを含む。
【００２６】
ここで、上記処理部は、上記等化されたデュアル伝送ストリームからノーマルストリームデータを復元する第１の処理部、及び上記等化されたデュアル伝送ストリームからターボストリームデータを復元しイレイジャデコードする第２の処理部とを含んでよい。
【００２７】
また、上記第１の処理部は、上記等化されたデュアル伝送ストリームのノーマルストリームに対してエラー訂正を行い、該エラー訂正されたノーマルストリームを復号するビタビデコーダーと、上記ビタビデコーダーから出力されるデュアル伝送ストリームをデインターリーブする第１のデインターリーバと、上記デインターリーブされたデュアル伝送ストリームをリード・ソロモン・デコードするリード・ソロモン・デコーダー、及び上記リード・ソロモン・デコードされたデュアル伝送ストリームを逆ランダム化して上記ノーマルストリームデータを復元する第１の逆ランダム化部とを含んでよい。
【００２８】
また、上記第２の処理部は、上記等化されたデュアル伝送ストリームのターボストリームに対してターボデコーディングを行うターボデコーダーと、上記ターボデコードされたターボストリームを含むデュアル伝送ストリームをデインターリーブする第２のデインターリーバと、上記第２のデインターリーバでデインターリーブされたデュアル伝送ストリームからパリティーを除去するパリティー除去部と、上記パリティーが除去されたデュアル伝送ストリームを逆ランダム化する第２の逆ランダム化部と、上記逆ランダム化されたデュアル伝送ストリームを逆多重化して上記ターボストリームデータを復元するターボデマルチプレクサ、及び上記復元されたターボストリームデータをイレイジャデコードするイレイジャデコーダーとを含んでよい。
【００２９】
この場合、上記ターボデコーダーは、上記デュアル伝送ストリームのパケット適応フィールドの一部または全部を検出し上記ターボストリームをターボデコードすればよい。
【００３０】
また、上記ターボデコーダーが上記ターボストリームを全部ターボデコードすると、上記ターボデコーダーは、上記ターボデコードされたターボストリームを上記デュアル伝送ストリームに再挿入して上記デュアル伝送ストリームを再構成すればよい。
【００３１】
ここで、上記パケット適応フィールドは、付加基準信号及びターボストリームデータが書き込まれた上記デュアル伝送ストリームの各パケットに形成された領域に存在すればよい。
【００３２】
また、上記ターボストリームは、所定の圧縮規格によって圧縮されロバスト処理されたデータストリームであればよい。
【００３３】
このとき、上記ターボストリームデータは、オーディオデータ及びビデオデータの少なくとも一方を含んでよい。
【００３４】
ここで、上記所定の圧縮規格は、ＭＰＥＧ−２規格であればよい。
【発明の効果】
【００３５】
以上で説明したように、本発明によれば、ノーマルストリーム及びロバスト処理されたターボストリームを含むデュアル伝送ストリームを受信し、各ストリームを復元することができるようになる。これにより、米国向けの地上波ＤＴＶシステムであるＡＴＳＣ  ＶＳＢ方式の受信性能を向上することができる。
【発明を実施するための最良の形態】
【００３６】
以下、添付した図面を参照して本発明による好適な実施の形態について詳しく説明する。
【００３７】
図３は、本発明の一実施の形態によるデジタル放送受信システムの構成を示すブロック図である。図３によれば、本デジタル放送受信システムは、復調部１１０と、等化部１２０と、第１の処理部２００、及び第２の処理部３００とを含む。
【００３８】
本デジタル放送受信システムは、デュアル伝送ストリームを受信し処理する。デュアル伝送ストリームとは、ターボストリーム及びノーマルストリームを含む伝送ストリームのことを意味する。送信側では、デュアル伝送ストリームからターボストリームだけを検出して別にエンコードした後、伝送ストリームに再挿入する方式でデュアル伝送ストリームを処理し送信することができる。一方、ターボストリームとは、ＭＰＥＧ−２などのような所定の圧縮規格によって圧縮されロバスト処理されたデータストリームのことを意味する。ターボストリームデータは、オーディオ、ビデオデータなどであればよい。
【００３９】
復調部１１０は、受信されたデュアル伝送ストリームの基底帯域の信号に付加された同期信号によって同期を検出し復調を行う。
【００４０】
等化部１２０は、復調されたデュアル伝送ストリームを等化して、チャンネルのマルチパスによるチャンネル歪曲を補償する。等化部１２０で等化されたデュアル伝送ストリームは、第１の処理部２００及び第２の処理部３００に提供される。
【００４１】
第１の処理部２００は、デュアル伝送ストリームのうちのノーマルストリームを処理してノーマルストリームデータを復元する。図３によれば、第１の処理部２００は、ビタビデコーダー２１０と、第１のデインターリーバ２２０と、ＲＳデコーダー２３０と、第１の逆ランダム化部２４０とを含む。
【００４２】
ビタビデコーダー２１０は、等化されたデュアル伝送ストリームのノーマルストリームに対してエラー訂正を行い、該エラー訂正されたシンボルに対して復号を行ってシンボルパケットを出力する。
【００４３】
第１のデインターリーバ２２０は、復号されたパケットをデインターリーブして、分散されていたパケットを再整列する。
【００４４】
ＲＳデコーダー２３０は、デインターリーブされたノーマルストリームパケットをリード・ソロモン・デコードしてエラーを訂正する。
【００４５】
第１の逆ランダム化部２４０は、リード・ソロモン・デコードされたノーマルストリームパケットを逆ランダム化して、ノーマルストリームデータを復元する。
【００４６】
一方、第２の処理部３００は、デュアル伝送ストリームのうちのターボストリームを処理してターボストリームデータを復元する。図３によるに、第２の処理部３００は、ターボデコーダー３１０と、第２のデインターリーバ３２０と、パリティー除去部３３０と、第２の逆ランダム化部３４０と、ターボデマルチプレクサ３５０、及びイレーサーデコーダー３６０とを含む。
【００４７】
ターボデコーダー３１０は、等化されたデュアル伝送ストリームのうちのターボストリームに対してのみターボデコーディングを行う。ターボデコーディングとは、ターボストリームに対するデコーディング処理過程のことを意味する。ターボデコーダー３１０は、デュアル伝送ストリームのパケット適応フィールドの一部または全部からターボストリームを検出しターボデコーディングを行うことができる。パケット適応フィールドとは、デュアル伝送ストリームの各パケット内に設けられて、付加基準信号、ターボストリームデータなどを書き込むことができる領域のことを意味する。ターボデコーダー３１０は、ターボデコーディングが完了すれば、ターボストリームをデュアル伝送ストリームに再挿入してデュアル伝送ストリームを再構成する。
【００４８】
第２のデインターリーバ３２０は、再構成されたデュアル伝送ストリームをデインターリーブして、パケットを再整列する。
【００４９】
パリティー除去部３３０は、デインターリーブされたデュアル伝送ストリームに存在するパリティーを除去する。
【００５０】
第２の逆ランダム化部３４０は、パリティーが除去されたデュアル伝送ストリームを逆ランダム化する。
【００５１】
ターボデマルチプレクサ３５０は、逆ランダム化されたデュアル伝送ストリームを逆多重化してターボストリームデータを復元する。
【００５２】
イレイジャデコーダー３６０は、復元されたターボストリームデータに対してイレイジャデコーディングを行う。デュアル伝送ストリームを生成して送信する送信端（図示せず）側では、ターボストリームのノイズを除去するイレイジャエンコーティングを行った後、ターボストリームをノーマルストリームに挿入する形態でデュアル伝送ストリームを生成する。これにより、イレイジャデコーダー３６０は、イレイジャエンコードされたターボストリームに対してイレイジャデコーディングを行うことで、ターボストリームのノイズを除去して受信性能を向上することができる。
【００５３】
一方、図３に示すデジタル放送受信システムにおける第２の処理部３００は、デインターリーブされたターボストリームをリード・ソロモン・デコードするリード・ソロモン・デコーダー（図示せず）をさらに含んでよい。
【００５４】
図４は、ターボデコーダー３１０の構成の一例を説明するためのブロック図である。図４に示すターボデコーダー３１０は、トレリスデコーダー３１１と、アウターデインターリーバ３１２と、アウターマップデコーダー３１３と、アウターインターリーバ３１４と、フレームフォーマッター３１５、及びシンボルデインターリーバ３１６とを含む。
【００５５】
トレリスデコーダー３１１は、等化されたデュアル伝送ストリームのうちのターボストリームをトレリスデコードしてアウターデインターリーバ３１２に提供する。
【００５６】
アウターデインターリーバ３１２は、トレリスデコードされたターボストリームをデインターリーブする。
【００５７】
アウターマップデコーダー３１３は、デインターリーブされたターボストリームを畳み込みデコードすることができる。アウターマップデコーダー３１３は、畳み込みデコーディングの結果に応じて軟判定及び硬判定出力値を出力する。ここで、軟判定及び硬判定出力値は、ターボストリームのマトリックスによって決められる。例えば、ターボストリームのマトリックスが「０．８」であった場合、「０．８」の軟判定出力値を出力し、ターボストリームのマトリックスが「１」であった場合、硬判定出力値を出力する。
【００５８】
アウターマップデコーダー３１３の硬判定出力値は、フレームフォーマッター３１５に提供される。この場合、硬判定出力値はターボストリームを意味する。
【００５９】
フレームフォーマッター３１５は、畳み込みデコードされた硬判定ターボストリームをデュアル伝送ストリームのフレームに合わせてフォーマットする。
【００６０】
シンボルデインターリーバ３１６は、フレームフォーマットされたターボストリームをシンボル単位からバイト単位にデインターリーブすることができる。シンボル単位からバイト単位へのデインターリービングは、「米国のＡＴＳＣ  ＤＴＶ標準（Ａ／５３）」の表Ｄ５．２を参照すれば容易に分かるため、具体的な説明は省く。ここで、シンボルデインターリーバ３１６を省いた形態でも動作可能である。
【００６１】
一方、アウターマップデコーダー３１３から軟判定出力値が出力された場合、アウターインターリーバ３１４は、ターボストリームをインターリーブしてトレリスデコーダー３１１に提供する。トレリスデコーダー３１１は、インターリーブされたターボストリームに対してトレリスデコーディングを再度行い、それをアウターデインターリーバ３１２に提供し、アウターデインターリーバ３１２では、それを再度デインターリーブしてアウターマップデコーダー３１３に提供する。トレリスデコーダー３１１、アウターデインターリーバ３１２、アウターインターリーバ３１４の動作は、硬判定出力値が出力されるまで繰り返し行われてよい。これにより、信頼し得る水準の復号値を得ることができる。
【００６２】
図５は、本発明の一実施の形態によるデジタル放送受信信号の処理方法を説明するためのフローチャートである。図５によるに、先ず、デュアル伝送ストリームを受信し復調を行う（Ｓ７１０）。その後、復調されたストリームを等化する（Ｓ７２０）。
【００６３】
等化されたデュアル伝送ストリームのうちのノーマルストリームに対しては、ビタビデコーディングを行った後（Ｓ７３０）、デインターリーブし（Ｓ７３５）、リード・ソロモン・デコーディングを行う（Ｓ７４０）。次いで、逆ランダム化を行ってノーマルストリームデータを復元する（Ｓ７４５）。
【００６４】
一方、等化されたデュアル伝送ストリームのうちのターボストリームに対しては、ターボデコーディングを先に行った後（Ｓ７５０）、デインターリーブする（Ｓ７５５）。その後、ターボストリーム内に書き込まれていたパリティーを除去し（Ｓ７６０）、逆ランダム化を行う（Ｓ７６５）。次いで、逆ランダム化されたデュアル伝送ストリームからターボストリームを検出する逆多重化を行った後（Ｓ７７０）、検出されたターボストリーム、すなわち、ターボストリームパケットをイレイジャデコードする（Ｓ７７５）。ターボストリームに対するデコーディング作業は、図４に示した構造のターボデコーダーを利用して行えばよい。
【００６５】
図６は、ターボデコーディング方法を説明するためのフローチャートである。図６によるに、デュアル伝送ストリームのうちのターボストリームに対してトレリスデコーディングを行う（Ｓ８１０）。その後、トレリスデコードされたターボストリームをアウターデインターリーブした後（Ｓ８２０）、アウターデコーディングを行う（Ｓ８３０）。
【００６６】
アウターデコーディングにより硬判定出力値が出力されると、硬判定ターボストリームをデュアル伝送ストリームのフレームに合わせてフォーマットした後（Ｓ８５０）、シンボルインターリービングを行う（Ｓ８６０）。
【００６７】
一方、アウターデコーディングにより軟判定出力値が出力されると、アウターインターリービング（Ｓ８４０）が行われ、アウターインターリーブされたターボストリームに対しては、再びトレリスデコーディング、アウターデインターリービング過程が行われるようになる（Ｓ８１０、Ｓ８２０）。これにより、信頼し得る水準の硬判定ターボストリームを得ることができるようになる。
【００６８】
図７は、本デジタル放送受信システムで受信し処理することができるデュアル伝送ストリームの構成の一例を示す模式図である。図７によるに、デュアル伝送ストリームは、複数の連続したパケットから構成される。１パケットは、１８８バイトから構成されてよい。具体的には、１パケットは、同期信号１バイト、ＰＩＤ（Ｐａｃｋｅｔ  Ｉｄｅｎｔｉｔｙ）３バイト、データ領域１８４バイトから構成される。図７によるに、デュアル伝送ストリームのうちの所定のパケットに対してのみ、ロバストデータ、すなわち、ターボストリームが配置される。具体的には、図７は、デュアル伝送ストリーム１フィールドの３１２パケット内にターボストリーム７８パケットを挿入した形態を示す。この場合、デュアル伝送ストリームは、ターボストリーム及びノーマルストリームパケットが１：３の比率で４パケットずつ繰り返されてなる。すなわち、ターボストリーム１パケット（１８８バイト）とノーマルストリーム３パケット（１８８バイト）が順次に接続される。一方、デュアル伝送ストリームの構成は、本発明の各種の実施の形態に応じて変形され得る。
【００６９】
このように、本発明の詳細な説明では具体的な実施の形態について図示し説明したが、本発明の範疇を逸脱しない範囲内で各種に変形可能である。したがって、本発明の範囲は、説明された実施の形態に限定されるものではなく、特許請求の範囲のみならずこの特許請求の範囲と均等なものなどによって決められるべきである。
【図面の簡単な説明】
【００７０】
【図１】従来のデジタル放送（ＡＴＳＣ  ＶＳＢ）送受信システムの構成を示すブロック図である。
【図２】従来のＡＴＳＣ  ＶＳＢデータのフレームの構造を示す例示図である。
【図３】本発明の一実施の形態によるデジタル放送受信システムの構成を示すブロック図である。
【図４】図３のデジタル放送受信システムに使われるターボデコーダー構成の一例を示すブロック図である。
【図５】本発明の一実施の形態によるデジタル放送受信信号の処理方法を説明するためのフローチャートである。
【図６】本発明の一実施の形態によるターボデコーディング方法を説明するためのフローチャートである。
【図７】本デジタル放送受信システムで処理するデュアル伝送ストリーム構成の一例を示す模式図である。
【符号の説明】
【００７１】
１１０  復調部
１２０  等化部
２００  第１の処理部
２１０  ビタビデコーダー
２２０  第１のデインターリーバ
２３０  ＲＳデコーダー
２４０  第１の逆ランダム化部
３００  第２の処理部
３１０  ターボデコーダー
３２０  第２のインターリーバ
３３０  パリティー除去部
３４０  第２の逆ランダム化部
３５０  ターボデマルチプレクサ
３６０  イレイジャデコーダー
【図１】
2009524946.tif 000003
【図２】
2009524946.tif 000004
【図３】
2009524946.tif 000005
【図４】
2009524946.tif 000006
【図５】
2009524946.tif 000007
【図６】
2009524946.tif 000008
【図７】
2009524946.tif 000009
【国際調査報告】
2009524946.tif 000010
2009524946.tif 000011